(57)【特許請求の範囲】
【請求項１】
光ビームを発生させる光ビーム発生手段と、光ビーム発生手段から発せられた光ビームを偏向走査する光ビーム偏向走査手段と、光ビーム偏向走査手段で偏向走査された光ビームを結像する光ビーム結像手段と、光ビーム結像手段で結像された光ビームの光路を反射変換する光ビーム反射手段とを、収容する光学箱を設け、該光学箱が、底部と、該底部の周縁から立上がる外形壁とを有すると共に、前記光学箱を、取付部を介して取付フレームに固定可能に構成した光ビーム走査装置において、
前記光学箱が、前記取付部を３箇所有し、該３箇所の取付部が、前記外形壁の高さ方向に対して、等しい高さの２箇所の取付部と、異なる高さの１箇所の他の取付部とを有し、
前記光学箱が、少なくとも底部の内面に段差部を有し、
前記光学箱が、外形壁の一部に、外形壁を二重化してなる二重構造部を有し、
前記光学箱が、底部裏面の前記段差部の位置にリブを有し、該リブが前記段差部の高さ方向へ延びる部分と連続して高さ方向へ延び、
前記光学箱は、裏面に前記２箇所の取付部のそれぞれと前記１箇所の他の取付部とを結ぶ線に沿って延びる別のリブを有し、
上記した３箇所の取付部、段差部、二重構造部、リブ、別のリブによって、前記光学箱の剛性を高めて、１次共振周波数を高周波数域側にシフトさせるように構成したことを特徴とする光ビーム走査装置。
【請求項２】
前記等しい高さの２箇所の前記取付部が、光ビーム偏向走査手段による光ビームの走査方向に並べて設けられると共に、
前記異なる高さの前記１箇所の他の取付部が、前記２箇所の取付部に対して、所要の高さの差を有して設けられることを特徴とする請求項１記載の光ビーム走査装置。
【請求項３】
等しい高さの２箇所の取付部を光学箱の外形壁の上縁部または下縁部の一方に設け、異なる高さの１箇所の他の取付部を光学箱の外形壁の下縁部または上縁部の他方に設けることにより、
前記高さの差が、前記光学箱の外形壁の取付部が設けられた上縁部の位置から下縁部の位置までの外形壁の高さ方向の距離と等しくなるようにしたことを特徴とする請求項２記載の光ビーム走査装置。
【請求項４】
前記２箇所の取付部と前記１箇所の他の取付部とが、前記光学箱の底部内面の光ビーム結像手段が取付けられる光ビーム結像手段取付底部の高さ方向の位置を中心として、高さ方向に同じ側に位置し、
前記光ビーム結像手段取付底部から前記２箇所の取付部および前記１箇所の他の取付部までの高さ方向の距離が、それぞれ前記光学箱底部の肉厚の２倍以上あることを特徴とする請求項２記載の光ビーム走査装置。
【請求項５】
前記２箇所の取付部と前記１箇所の他の取付部とが、前記光学箱の底部内面の光ビーム結像手段が取付けられる光ビーム結像手段取付底部の高さ方向の位置を中心として、高さ方向に異なる側に位置し、
前記光ビーム結像手段取付底部から前記２箇所の取付部および前記１箇所の他の取付部までの高さ方向の距離が、それぞれ前記光学箱底部の肉厚の２倍以上あることを特徴とする請求項２記載の光ビーム走査装置。
【請求項６】
前記リブおよび別のリブの少なくとも一方が、前記光学箱の肉厚とほぼ等しい肉厚を有していることを特徴とする請求項１ないし５のいずれか１項に記載の光ビーム走査装置。
【請求項７】
前記二重構造部が、前記光学箱に取付けられる前記光ビーム偏向走査手段の周りを取囲むように設けられていることを特徴とする請求項１ないし６のいずれか１項に記載の光ビーム走査装置。
【請求項８】
前記二重構造部は、二重の外形壁と、二重の外形壁の一端間を連結する部分とからなる断面コ字状を呈して、二重の外形壁の他端間の連結されていない部分を光学箱の裏面側へ向けて配置することにより、当該連結されていない部分が光学箱の裏面側に開く開口部となるようにしたことを特徴とする請求項７記載の光ビーム走査装置。
【発明の詳細な説明】
【０００１】
【発明の属する技術分野】
この発明は、複写機、プリンターおよびファクシミリ等に適用される光ビーム走査装置の、光学素子を収容する光学箱の改良に関するものである。
【０００２】
【従来の技術】
デジタル複写機、レーザビームプリンタおよびレーザーファクシミリ等には光ビーム走査装置が取付けられている。
【０００３】
この光ビーム走査装置においては、良好な画像品質を得るために、光学素子の位置関係を所定精度に保つことが重要視されている。
【０００４】
しかし、光学素子の位置関係を所定精度に保つことができた場合においても、光学素子等を収納する光学箱の振動や光学素子自身の振動により、光ビームの光路変動が生じ、主走査方向での線寄れ、副走査方向での画像濃度ムラを引き起こす要因となり、良好な画像品質を得ることができなくなる。このため、従来から、光ビーム走査装置が、さらなる高速化および高画像品質化にも対応できるような各種の提案が行なわれている。特に、ポリゴンミラーおよび駆動モータ等の振動源から発せられる振動により、画質品質の低下を防ぐための提案が行われている。
【０００５】
例えば、特開平５−１０３１６４号公報では、レーザビームスキャナ装置が発生させる振動の振動数（ポリゴンモータの回転周波数）と、このレーザビームスキャナ装置を支持する支持フレームの固有振動数とを所定値離すようにしている。この公報では、レーザビームスキャナ装置が発生させる振動の振動数と支持フレームの固有振動数がある程度離れているので、レーザビームスキャナ装置が発生させる振動により、支持フレームが共振することを防止することができる。このため、感光体上に濃度ムラのない良好な画像が形成できる。
【０００６】
しかしながら、この公報では、支持フレーム上にレーザビームスキャナ装置が装着されるため、支持フレーム自体の減衰性が低下し、この支持フレームの固有振動数間には明確な反共振峰が存在しないことがある。このため、固有振動数が所定値離れていた場合でも、振動発生光学部品の周波数での振動を抑制することができない。
【０００７】
また、特開平９−３３８４４号公報では、ポリゴンモータ等の振動発生光学部品を配置するために穴の開けられた支持板の剛性をリブ配置の工夫によって高めている。この公報では、剛性を高めるようなリブ配置を持った支持板にポリゴンモータ等の振動発生光学部品を装着し、且つこの支持板を光学箱およびフレームに取付けているので、ポリゴンモータ等の振動発生光学部品による振動を抑制することができる。このため、感光体上に濃度ムラのない良好な画像が形成できる。
【０００８】
しかしながら、この公報では、レーザ走査ユニットが光学箱に装着されるため、光学箱のレーザ走査ユニット以外の箇所に配置されているミラー等の光学部品とポリゴンミラーの相対的な位置関係は光学箱の固有振動数に大きく依存する。リブ配置を工夫した支持板により２次的に光学箱の剛性を高めているが、レーザ走査ユニットが装着された後の光学箱の固有振動数を高域側へ移動量を限定するものであって、光学箱の初期剛性が低下している場合、つまり、光学箱の１次固有振動数が振動発生光学部品の発生させる振動の振動数より相当数低い場合、支持板のリブ配置を工夫した場合でも、振動発生光学部品の周波数での振動を抑制することができない。また、この問題を解決するために、支持板を本体フレームに直接装着する場合、光学箱への依存を低減する効果があるが、本体フレームから感光体ドラムや記録紙の給紙・排紙系を駆動させるモータ等の発生する振動が、直接レーザ走査ユニットに伝達されることになる。このため、振動発生光学部品自身の振動のみならず複数の振動源からの振動も受けることになり、単純に振動板の１次固有振動数を高域側へシフトするだけでは、振動を抑制することができない。
【０００９】
更に、実開平５−１１１６１号公報では、光学箱が、ポリゴンモータ配置域と光学素子配置域が垂立壁を介して、階段状に段違いに形成され、垂立壁にレーザビーム通過孔が開口形成されている構造を有している。この公報では、上記構造により光学箱の剛性が高められているので、ポリゴンモータ等の振動発生光学部品が発生させる振動により、光学箱が共振することを防止することができる。このため、感光体上に濃度ムラのない良好な画像が形成できる。
【００１０】
しかしながら、この公報では、ポリゴンモータ配置域と光学素子配置域が垂立壁を介して、階段状に段違いに形成されているため、ポリゴンモータおよび光学素子の取付面が相対している。このため、ポリゴンモータおよび光学素子の取付面の平行度に精度を要求されコスト高となり、またポリゴンモータおよび光学素子の取付け面が逆となるため、組み立て性が低下する。
【００１１】
【発明が解決しようとする課題】
これらの公報のように、ポリゴンモータが発生させる振動のみを対処しても、振動により発生する感光体上の濃度ムラは回避できない。これは、ポリゴンモータ、感光体ドラムおよび記録紙の給紙・排紙系を駆動させるモータ等から発生される振動により、ポリゴンモータや光学素子等を収納する光学箱や光学素子自身が振動させられ、光ビームの光路変動が生じるからである。このため、ポリゴンモータや光学素子等を収納する光学箱が、それらを振動させる振動形状を有する固有振動数を高周波数域に有する振動特性をもつ必要がある。
【００１２】
そこで、本発明の目的は、光学素子等を収納する光学箱が、上記光学箱の取付フレームへの取付部を３箇所有し、且つ、そのうち１箇所以上の高さが異なっており、且つ、光学箱の少なくとも底部の内面に段差を有し、外形壁の一部に、外形壁を二重化してなる二重構造部を有し、これらの各構成により、上記光学箱の剛性を高めて、光学箱が振動する固有振動数を高周波数域に有する振動特性を持つ、光ビーム走査装置を提供することにある。
【００１３】
【課題を解決するための手段】
上記課題を解決するために、請求項１に記載された発明では、光ビームを発生させる光ビーム発生手段と、光ビーム発生手段から発せられた光ビームを偏向走査する光ビーム偏向走査手段と、光ビーム偏向走査手段で偏向走査された光ビームを結像する光ビーム結像手段と、光ビーム結像手段で結像された光ビームの光路を反射変換する光ビーム反射手段とを、収容する光学箱を設け、該光学箱が、底部と、該底部の周縁から立上がる外形壁とを有すると共に、前記光学箱を、取付部を介して取付フレームに固定可能に構成した光ビーム走査装置において、前記光学箱が、前記取付部を３箇所有し、該３箇所の取付部が、前記外形壁の高さ方向に対して、等しい高さの２箇所の取付部と、異なる高さの１箇所の他の取付部とを有し、前記光学箱が、少なくとも底部の内面に段差部を有し、前記光学箱が、外形壁の一部に、外形壁を二重化してなる二重構造部を有し、前記光学箱が、底部裏面の前記段差部の位置にリブを有し、該リブが前記段差部の高さ方向へ延びる部分と連続して高さ方向へ延び、  前記光学箱は、裏面に前記２箇所の取付部のそれぞれと前記１箇所の他の取付部とを結ぶ線に沿って延びる別のリブを有し、上記した３箇所の取付部、段差部、二重構造部、リブ、別のリブによって、前記光学箱の剛性を高めて、１次共振周波数を高周波数域側にシフトさせるように構成したことを特徴としている。
【００１４】
このように構成された請求項１にかかる発明によれば、前記光学箱が、前記取付部を３箇所有し、該３箇所の取付部が、前記外形壁の高さ方向に対して、等しい高さの２箇所の取付部と、異なる高さの１箇所の他の取付部とを有し、前記光学箱が、少なくとも底部の内面に段差部を有し、前記光学箱が、外形壁の一部に、外形壁を二重化してなる二重構造部を有することにより、これらの各構成によって、前記光学箱の剛性を高めて、１次共振周波数を高周波数域側にシフトさせることができる。また、光学箱の光学素子（光ビーム結像手段）の取付位置近傍の局部的な振動を抑制できる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
また、前記光学箱が、底部裏面の前記段差部の位置にリブを有し、該リブが前記段差部の高さ方向へ延びる部分と連続して高さ方向へ延びることにより、光ビーム結像手段および光ビーム反射手段取付位置近傍の曲げ剛性が向上し、光学箱の開口窓近傍の振動を抑制できる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。また、光学箱を樹脂製にする際に、光学箱の肉厚を均一化でき、成形しやすくなる。このため、金型製作費や生産コストを低減できる。
更に、前記光学箱は、裏面に前記２箇所の取付部のそれぞれと前記１箇所の他の取付部とを結ぶ線に沿って延びる別のリブを有することにより、光ビーム結像手段取付位置近傍の曲げ剛性が向上し、光学箱の開口窓近傍の振動を抑制できる。また、開口窓近傍の振動範囲を的確に抑えることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００１５】
請求項２に記載された発明では、前記等しい高さの２箇所の前記取付部が、光ビーム偏向走査手段による光ビームの走査方向に並べて設けられると共に、前記異なる高さの前記１箇所の他の取付部が、前記２箇所の取付部に対して、所要の高さの差を有して設けられることを特徴としている。
【００１６】
このように構成された請求項２にかかる発明によれば、前記等しい高さの２箇所の前記取付部が、光ビーム偏向走査手段による光ビームの走査方向に並べて設けられると共に、前記異なる高さの前記１箇所の他の取付部が、前記２箇所の取付部に対して、所要の高さの差を有して設けられることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００１７】
請求項３に記載された発明では、等しい高さの２箇所の取付部を光学箱の外形壁の上縁部または下縁部の一方に設け、異なる高さの１箇所の他の取付部を光学箱の外形壁の下縁部または上縁部の他方に設けることにより、前記高さの差が、前記光学箱の外形壁の取付部が設けられた上縁部の位置から下縁部の位置までの外形壁の高さ方向の距離と等しくなるようにしたことを特徴としている。
【００１８】
このように構成された請求項３にかかる発明によれば、等しい高さの２箇所の取付部を光学箱の外形壁の上縁部または下縁部の一方に設け、異なる高さの１箇所の他の取付部を光学箱の外形壁の下縁部または上縁部の他方に設けることにより、前記高さの差が、前記光学箱の外形壁の取付部が設けられた上縁部の位置から下縁部の位置までの外形壁の高さ方向の距離と等しくなるようにしたことにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００１９】
請求項４に記載された発明では、前記２箇所の取付部と前記１箇所の他の取付部とが、前記光学箱の底部内面の光ビーム結像手段が取付けられる光ビーム結像手段取付底部の高さ方向の位置を中心として、高さ方向に同じ側に位置し、前記光ビーム結像手段取付底部から前記２箇所の取付部および前記１箇所の他の取付部までの高さ方向の距離が、それぞれ前記光学箱底部の肉厚の２倍以上あることを特徴としている。
【００２０】
このように構成された請求項４にかかる発明によれば、前記２箇所の取付部と前記１箇所の他の取付部とが、前記光学箱の底部内面の光ビーム結像手段が取付けられる光ビーム結像手段取付底部の高さ方向の位置を中心として、高さ方向に同じ側に位置し、前記光ビーム結像手段取付底部から前記２箇所の取付部および前記１箇所の他の取付部までの高さ方向の距離が、それぞれ前記光学箱底部の肉厚の２倍以上あることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００２１】
請求項５に記載された発明では、前記２箇所の取付部と前記１箇所の他の取付部とが、前記光学箱の底部内面の光ビーム結像手段が取付けられる光ビーム結像手段取付底部の高さ方向の位置を中心として、高さ方向に異なる側に位置し、前記光ビーム結像手段取付底部から前記２箇所の取付部および前記１箇所の他の取付部までの高さ方向の距離が、それぞれ前記光学箱底部の肉厚の２倍以上あることを特徴としている。
【００２２】
このように構成された請求項５にかかる発明によれば、前記２箇所の取付部と前記１箇所の他の取付部とが、前記光学箱の底部内面の光ビーム結像手段が取付けられる光ビーム結像手段取付底部の高さ方向の位置を中心として、高さ方向に異なる側に位置し、前記光ビーム結像手段取付底部から前記２箇所の取付部および前記１箇所の他の取付部までの高さ方向の距離が、それぞれ前記光学箱底部の肉厚の２倍以上あることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００２５】
請求項６に記載された発明では、前記リブおよび別のリブの少なくとも一方が、前記光学箱の肉厚とほぼ等しい肉厚を有していることを特徴としている。
【００２６】
このように構成された請求項６にかかる発明によれば、前記リブおよび別のリブの少なくとも一方が、光学箱の肉厚とほぼ等しい肉厚を有していることにより、光学箱を樹脂製にする際に、光学箱の肉厚を均一化でき、成形しやすくなる。このため、金型製作費や生産コストを低減できる。
【００３１】
請求項７に記載された発明では、前記二重構造部が、前記光学箱に取付けられる前記光ビーム偏向走査手段の周りを取囲むように設けられていることを特徴としている。
【００３２】
このように構成された請求項７にかかる発明によれば、前記二重構造部が、前記光学箱に取付けられる前記光ビーム偏向走査手段の周りを取囲むように設けられていることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００３３】
請求項８に記載された発明では、前記二重構造部は、二重の外形壁と、二重の外形壁の一端間を連結する部分とからなる断面コ字状を呈して、二重の外形壁の他端間の連結されていない部分を光学箱の裏面側へ向けて配置することにより、当該連結されていない部分が光学箱の裏面側に開く開口部となるようにしたことを特徴としている。
【００３４】
このように構成された請求項８にかかる発明によれば、前記二重構造部は、二重の外形壁と、二重の外形壁の一端間を連結する部分とからなる断面コ字状を呈して、二重の外形壁の他端間の連結されていない部分を光学箱の裏面側へ向けて配置することにより、当該連結されていない部分が光学箱の裏面側に開く開口部となるようにしたことにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。さらに、光学箱裏面の表面積が増えるため、その放熱性を高めることができる。これにより、光学箱をアルミダイキャスト製にする際に、放熱効果をより一層高めることができる。
【００３５】
【発明の実施の形態】
以下、本発明の具体的な実施の形態について、図示例と共に説明する。
【００３６】
図１〜図１１は、この発明の実施の形態を示すものである。
【００３７】
まず、構成を説明すると、光ビーム走査装置１は、図１、図２に示すように、光ビームを発生させる光ビーム発生手段２と、光ビーム発生手段２から発せられた光ビームを偏向するポリゴンミラー、およびそれを回転させるポリゴンモータ等からなり、光ビームを偏向走査する光ビーム偏向走査手段３と、光ビーム偏向走査手段３で偏向走査された光ビームを結像する光ビーム結像手段４と、光ビーム結像手段４で結像された光ビームの光路を反射変換する光ビーム反射手段５とを備えている。上記各手段２〜５は光学箱６に収容され、光学箱６には上記各手段２〜５を覆うカバーが取付けられる。
【００３８】
上記光学箱６は、底部と、この底部の周縁から立上がる外形壁とを有している。上記光学箱６は、画像情報記録装置７の本体フレーム（取付フレーム８）に取付部９，１０を介して固定されるようになっている。画像情報記録装置７には、感光体ドラム１５および記録紙１２の給紙・排紙系を駆動させるモータ等が設けられている。
【００３９】
この実施の形態では、図３に示すように、光学箱６は、上記した取付部９，１０を３箇所有し、３箇所の取付部９，１０が、上記した外形壁の高さ方向に対して、等しい高さの２箇所の取付部９と、異なる高さの１箇所の他の取付部１０とを有している。そして、光学箱６は、少なくとも底部の内面に段差部１１を有している。更に、光学箱６は、外形壁の一部に、外形壁を二重化してなる二重構造部１６を有している。
【００４０】
このように、光学箱６が、上記した取付部９，１０を３箇所有し、３箇所の取付部９，１０が、上記した外形壁の高さ方向に対して、等しい高さの２箇所の取付部９と、異なる高さの１箇所の他の取付部１０とを有し、光学箱６は、少なくとも底部の内面に段差部１１を有し、光学箱６は、外形壁の一部に、外形壁を二重化してなる二重構造部１６を有していることにより、これらの各構成によって、光学箱６の剛性を高めて１次共振周波数を高周波数域側にシフトさせることができる。また、光学箱６の光学素子（光ビーム結像手段４）の取付位置近傍の局部的な振動を抑制できる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００４１】
この際、図４に示すように、上記した等しい高さの２箇所の取付部９が、光ビーム偏向走査手段３による光ビームの走査方向に並べて設けられると共に、異なる高さの１箇所の他の取付部１０が、上記２箇所の取付部９に対して、所要の高さの差Ｄ１を有して設けられるようにする。
【００４２】
このように、上記した等しい高さの２箇所の取付部９が、光ビーム偏向走査手段３による光ビームの走査方向に並べて設けられると共に、異なる高さの１箇所の他の取付部１０が、上記２箇所の取付部９に対して、所要の高さの差Ｄ１を有して設けられることにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００４３】
この際、図５に示すように、等しい高さの２箇所の取付部９を光学箱６の外形壁の上縁部または下縁部の一方に設け、異なる高さの１箇所の他の取付部１０を光学箱６の外形壁の下縁部または上縁部の他方に設けることにより、上記した高さの差Ｄ１を、光学箱６の外形壁の取付部９，１０が設けられた上縁部の位置から下縁部の位置までの外形壁の高さ方向の距離Ｈと等しくなるようにしてもよい。
【００４４】
このように、等しい高さの２箇所の取付部９を光学箱６の外形壁の上縁部または下縁部の一方に設け、異なる高さの１箇所の他の取付部１０を光学箱６の外形壁の下縁部または上縁部の他方に設けることにより、高さの差Ｄ１を、光学箱６の外形壁の取付部９，１０が設けられた上縁部の位置から下縁部の位置までの外形壁の高さ方向の距離Ｈと等しくなるようにすることにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００４５】
または、図６に示すように、２箇所の取付部９と他の取付部１０とが、光学箱６の底部内面の光ビーム結像手段４が取付けられる光ビーム結像手段４取付底部の高さ方向の位置を中心(基準)として、高さ方向に同じ側に位置し、光ビーム結像手段４取付底部から２箇所の取付部９および他の取付部１０までの高さ方向の距離Ｄ２１，Ｄ２２が、それぞれ光学箱６底部の肉厚ｔの２倍以上あるようにしてもよい（Ｄ２１，Ｄ２２≧２ｔ）。なお、この場合、光学箱６底部の肉厚ｔは、均一とする。
【００４６】
このように、２箇所の取付部９と他の取付部１０とが、光学箱６の底部内面の光ビーム結像手段４が取付けられる光ビーム結像手段４取付底部の高さ方向の位置を中心として、高さ方向に同じ側に位置し、光ビーム結像手段４取付底部から２箇所の取付部９および他の取付部１０までの高さ方向の距離Ｄ２１，Ｄ２２が、それぞれ光学箱６底部の肉厚ｔの２倍以上あるようにしたことにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００４７】
或いは、図７に示すように、２箇所の取付部９と他の取付部１０とが、光学箱６の底部内面の光ビーム結像手段４が取付けられる光ビーム結像手段４取付底部の高さ方向の位置を中心（基準）として、高さ方向に異なる側に位置し、光ビーム結像手段４取付底部から２箇所の取付部９および他の取付部１０までの高さ方向の距離Ｄ３１，Ｄ３２が、それぞれ光学箱６底部の肉厚ｔの２倍以上あるようにしてもよい（Ｄ３１，Ｄ３２≧２ｔ）。なお、この場合、光学箱６底部の肉厚ｔは、均一とする。
【００４８】
このように、２箇所の取付部９と他の取付部１０とが、光学箱６の底部内面の光ビーム結像手段４が取付けられる光ビーム結像手段４取付底部の高さ方向の位置を中心として、高さ方向に異なる側に位置し、光ビーム結像手段４取付底部から２箇所の取付部９および他の取付部１０までの高さ方向の距離Ｄ３１，Ｄ３２が、それぞれ光学箱６底部の肉厚ｔの２倍以上あるようにしたことにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００４９】
そして、図８に示すように、光学箱６が、底部裏面の段差部１１の位置にリブ１８を有し、このリブ１８が段差部１１の高さ方向へ延びる部分と連続して高さ方向へ延びるようにする。
【００５０】
このように、光学箱６が、底部裏面の段差部１１の位置にリブ１８を有し、このリブ１８が段差部１１の高さ方向へ延びる部分と連続して高さ方向へ延びるようにしたことにより、光ビーム結像手段４および光ビーム反射手段５取付位置近傍の曲げ剛性が向上し、光学箱６の開口窓近傍の振動を抑制できる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。また、光学箱６を樹脂製にする際に、光学箱６の肉厚を均一化でき、成形しやすくなる。このため、金型製作費や生産コストを低減できる。
【００５１】
この際、リブ１８が、光学箱６の肉厚とほぼ等しい肉厚を有するようにする。なお、この場合、光学箱６の肉厚は、均一とする。
【００５２】
このように、リブ１８が、光学箱６の肉厚とほぼ等しい肉厚を有していることにより、光学箱６を樹脂製にする際に、光学箱６の肉厚を均一化でき、成形しやすくなる。このため、金型製作費や生産コストを低減できる。
【００５３】
加えて、図９に示すように、光学箱６が、裏面に２箇所の取付部９のそれぞれと他の取付部１０とを結ぶ線に（少なくとも部分的に）沿って延びる、または、上記線の上に（少なくとも部分的に）位置する別のリブ１９を有するようにする。
【００５４】
このように、光学箱６が、裏面に２箇所の取付部９のそれぞれと他の取付部１０とを結ぶ線に沿って延びる別のリブ１９を有していることにより、光ビーム結像手段４取付位置近傍の曲げ剛性が向上し、光学箱６の開口窓近傍の振動を抑制できる。また、開口窓近傍の振動範囲を的確に抑えることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００５５】
この際、リブ１９が、光学箱６の肉厚とほぼ等しい肉厚を有するようにする。なお、この場合、光学箱６の肉厚は、均一とする。
【００５６】
このように、リブ１９が、光学箱６の肉厚とほぼ等しい肉厚を有していることにより、光学箱６を樹脂製にする際に、光学箱６の肉厚を均一化でき、成形しやすくなる。このため、金型製作費や生産コストを低減できる。
【００５７】
そして、図１０に示すように、二重構造部１６が、光学箱６に取付けられる光ビーム偏向走査手段３の周りを取囲むように設けられるようにする。
【００５８】
このように、二重構造部１６が、光学箱６に取付けられる光ビーム偏向走査手段３の周りを取囲むように設けられていることにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。
【００５９】
この際、図１１に示すように、二重構造部１６は、二重の外形壁と、二重の外形壁の一端間を連結する部分とからなる断面コ字状を呈して、二重の外形壁の他端間の連結されていない部分を光学箱６の裏面側へ向けて配置することにより、当該連結されていない部分が光学箱６の裏面側に開く開口部２０となるようにする。
【００６０】
このように二重構造部１６が、二重の外形壁と、二重の外形壁の一端間を連結する部分とからなる断面コ字状を呈して、二重の外形壁の他端間の連結されていない部分を光学箱６の裏面側へ向けて配置することにより、当該連結されていない部分が光学箱６の裏面側に開く開口部２０となるようにすることにより、光学箱６の剛性を高めて１次共振周波数を高周波数域側にシフトさせることができる。このため、ポリゴンモータ（光ビーム偏向走査手段３）、取付フレーム８内に設けられる感光体ドラム１５および記録紙１２の給紙・排紙系を駆動させるモータ等から発生される振動により発生する感光体上の濃度ムラが回避できる。さらに、光学箱６裏面の表面積が増えるため、その放熱性を高めることができる。これにより、光学箱６をアルミダイキャスト製にする際に、放熱効果をより一層高めることができる。
【００６１】
例えば、２箇所の取付部９と他の取付部１０との取付高さの差Ｄ１を２３（ｍｍ）とし、２箇所の取付部９と他の取付部１０とをそれぞれ結ぶ光学箱６裏面のリブ１８，１９を光学箱６の肉厚と同等の肉厚３．０（ｍｍ）とし、二重構造部１６を光学箱６の裏面側に開く開口部２０を有する断面コ字状のものとすることにより、この光学箱６の１次共振周波数は２１５（Ｈｚ）となる。
【００６２】
なお、取付部９，１０が同じ高さを有し且つ光学箱６の底部の内面に段差部１１を有するのみの光学箱６の１次共振周波数は１５４（Ｈｚ）である。
【００６３】
【発明の効果】
以上説明してきたように、請求項１の発明によれば、光学箱が、前記取付部を３箇所有し、該３箇所の取付部が、前記外形壁の高さ方向に対して、等しい高さの２箇所の取付部と、異なる高さの１箇所の他の取付部とを有し、前記光学箱が、少なくとも底部の内面に段差部を有し、前記光学箱が、外形壁の一部に、外形壁を二重化してなる二重構造部を有することにより、これらの各構成によって、前記光学箱の剛性を高めて、１次共振周波数を高周波数域側にシフトさせることができる。また、光学箱の光学素子（光ビーム結像手段）の取付位置近傍の局部的な振動を抑制できる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
また、前記光学箱が、底部裏面の前記段差部の位置にリブを有し、該リブが前記段差部の高さ方向へ延びる部分と連続して高さ方向へ延びることにより、光ビーム結像手段および光ビーム反射手段取付位置近傍の曲げ剛性が向上し、光学箱の開口窓近傍の振動を抑制できる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。また、光学箱を樹脂製にする際に、光学箱の肉厚を均一化でき、成形しやすくなる。このため、金型製作費や生産コストを低減できる。
更に、前記光学箱は、裏面に前記２箇所の取付部のそれぞれと前記１箇所の他の取付部とを結ぶ線に沿って延びる別のリブを有することにより、光ビーム結像手段取付位置近傍の曲げ剛性が向上し、光学箱の開口窓近傍の振動を抑制できる。また、開口窓近傍の振動範囲を的確に抑えることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００６４】
請求項２の発明によれば、等しい高さの２箇所の前記取付部が、光ビーム偏向走査手段による光ビームの走査方向に並べて設けられると共に、前記異なる高さの少なくとも前記１箇所の他の取付部が、前記２箇所の取付部に対して、所要の高さの差を有して設けられることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００６５】
請求項３にかかる発明によれば、等しい高さの２箇所の取付部を光学箱の外形壁の上縁部または下縁部の一方に設け、異なる高さの１箇所の他の取付部を光学箱の外形壁の下縁部または上縁部の他方に設けることにより、前記高さの差が、前記光学箱の外形壁の取付部が設けられた上縁部の位置から下縁部の位置までの外形壁の高さ方向の距離と等しくなるようにしたことにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００６６】
請求項４にかかる発明によれば、前記２箇所の取付部と前記１箇所の他の取付部とが、前記光学箱の底部内面の光ビーム結像手段が取付けられる光ビーム結像手段取付底部の高さ方向の位置を中心として、高さ方向に同じ側に位置し、前記光ビーム結像手段取付底部から前記２箇所の取付部および前記１箇所の他の取付部までの高さ方向の距離が、それぞれ前記光学箱底部の肉厚の２倍以上あることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００６７】
請求項５にかかる発明によれば、前記２箇所の取付部と前記１箇所の他の取付部とが、前記光学箱の底部内面の光ビーム結像手段が取付けられる光ビーム結像手段取付底部の高さ方向の位置を中心として、高さ方向に異なる側に位置し、前記光ビーム結像手段取付底部から前記２箇所の取付部および前記１箇所の他の取付部までの高さ方向の距離が、それぞれ前記光学箱底部の肉厚の２倍以上あることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００６９】
請求項６にかかる発明によれば、前記リブおよび別のリブの少なくとも一方が、光学箱の肉厚とほぼ等しい肉厚を有していることにより、光学箱を樹脂製にする際に、光学箱の肉厚を均一化でき、成形しやすくなる。このため、金型製作費や生産コストを低減できる。
【００７２】
請求項７の発明によれば、二重構造部が、前記光学箱に取付けられる前記光ビーム偏向走査手段の周りを取囲むように設けられていることにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。
【００７３】
請求項８にかかる発明によれば、前記二重構造部は、二重の外形壁と、二重の外形壁の一端間を連結する部分とからなる断面コ字状を呈して、二重の外形壁の他端間の連結されていない部分を光学箱の裏面側へ向けて配置することにより、当該連結されていない部分が光学箱の裏面側に開く開口部となるようにしたことにより、光学箱の剛性を高めて１次共振周波数を高周波数域側にシフトさせることができる。このため、ポリゴンモータ（光ビーム偏向走査手段）、取付フレーム内に設けられる感光体ドラムおよび記録紙の給紙・排紙系を駆動させるモータ等から発生される振動により発生する感光体上の濃度ムラが回避できる。さらに、光学箱裏面の表面積が増えるため、その放熱性を高めることができる。これにより、光学箱をアルミダイキャスト製にする際に、放熱効果をより一層高めることができる。
【図面の簡単な説明】
【図１】本発明の実施の形態にかかる光ビーム走査装置を取付けた画像情報記録装置の概略側面図である。
【図２】図１の光ビーム走査装置の概略斜視図である。
【図３】図２の光学箱を背面側から見た斜視図である。
【図４】取付部の取付け高さの差を示す説明図である。
【図５】取付部の取付け高さの差を示す他の説明図である。
【図６】取付部の取付け高さの差を示す別の説明図である。
【図７】取付部の取付け高さの差を示す更に別の説明図である。
【図８】リブの説明図である。
【図９】リブを説明する図３と同様の光学箱を背面側から見た斜視図である。
【図１０】二重構造部の説明図である。
【図１１】二重構造部の開口部の説明図である。
【符号の説明】
１    光ビーム走査装置
２    光ビーム発生手段
３    光ビーム偏向走査手段
４    光ビーム結像手段
５    光ビーム反射手段
６    光学箱
８    取付フレーム
９    取付部
１０  取付部
１１  段差部
１６  二重構造部
１７  光ビーム走査方向
１８  リブ
１９  リブ
２０  開口部
【図１】
0004372367.tif 000002
【図２】
0004372367.tif 000003
【図３】
0004372367.tif 000004
【図４】
0004372367.tif 000005
【図５】
0004372367.tif 000006
【図６】
0004372367.tif 000007
【図７】
0004372367.tif 000008
【図８】
0004372367.tif 000009
【図９】
0004372367.tif 000010
【図１０】
0004372367.tif 000011
【図１１】
0004372367.tif 000012